(57)【特許請求の範囲】
【請求項１】
デジタル衛星放送におけるサイトダイバーシティ方法であって、サイト切り換え実行指示信号を受けたとき実行指示信号を受けた時点にて定まるスーパーフレーム中において最終スロットがダミーデータであるフレームを検出し、検出されたフレームの最終スロットにてサイトの切り換えを行うと共に、検出したフレームの情報をＴＭＣＣ情報内に含めることを特徴とするサイトダイバーシティ方法。
【発明の詳細な説明】
【０００１】
【発明の属する技術分野】
本発明はデジタル衛星放送に使用されるサイトダイバーシティ方法に関する。
【０００２】
【従来の技術】
デジタル衛星放送において、運用中の一方のアップリンク放送局周辺が降雨等により回線確保が不可能になることが予想される場合、他のアップリンク放送局による運用に切り換えるサイトダイバーシティが採用される。このサイトダイバーシティにおいて、アップリンク放送局の切り換えによる映像、音声にとぎれが生ずる等の影響を可能な限り最小にすることが望ましい。
【０００３】
本明細書において、運用中の一方のアップリンク放送局から他のアップリンク放送局による運用に切り換えることをサイトの切り換えと記す。
【０００４】
そこで、デジタル衛星放送において提案されているサイトダイバーシティ方法は、可能な限り切り換えによる映像、音声にとぎれが生じないようにするべくサイトの切り換えのときにデジタル衛星放送受信機で生ずるフリーズおよびミュートを可能な限り目立たないようにするために、サイトの切り換えをスーパーフレーム内で行うことが提案されている。
【０００５】
具体的にはＴＭＣＣ情報中の送受信制御情報中における図３（ａ）に示す拡張領域（１〜４ビット）を利用して、そのビット４にサイトダイバーシティ実施スーパーフレーム指示のビットを立て（ビット４＝１）、ビットが立ってから図３（ｂ）に示すように、Ｎ（Ｎ＝１６）スーパーフレーム後のスーパーフレーム内でサイトダイバーシティを実施し、サイトダイバーシティを実施後、Ｍ（Ｍ＝０）スーパーフレームでビット４のビットを下ろす（ビット４＝０）ようにされる。
【０００６】
上記のサイトダイバーシティに対応するべく、デジタル衛星放送受信機の復調部では、図４に示すように、変調方式識別信号（Ａ１、Ａ０）に基づく変調方式に対応してキャリア再生用位相誤差テーブル６から選択されたキャリア再生用位相誤差テーブルによって、検波されたベースバンド信号に対する受信位相誤差に基づく位相誤差電圧を求め、位相誤差電圧をデジタルフィルタからなるキャリアフィルタ７に供給し、キャリアフィルタ７からの出力をＡＦＣ回路８に供給して累積加算し、累積加算値により数値制御発振器９の発振周波数を制御し、数値制御発振器９からの出力を再生キャリアとして演算回路１に供給して再生キャリアと演算回路１に入力される準同期検波された信号であるベースバンド信号Ｉ、Ｑと乗算することにより準同期検波出力の復調が行われる。
【０００７】
演算回路１から出力される検波出力をロールオフフィルタ２で帯域制限し、帯域制限された検波出力からフレーム同期回路３においてフレーム同期パターンＷ１を検出してＴＭＣＣ情報を抽出し、抽出したＴＭＣＣ情報をＴＭＣＣデコーダ４に供給してデコードし、抽出されたＴＭＣＣ情報をサイトダイバーシティ制御回路５に供給して、サイトダイバーシティ制御回路５において前記拡張領域におけるビット４に基づいてサイトダイバーシティの実行指示がなされているか否かを検出する。
【０００８】
サイトダイバーシティの実行指示がなされていると検出したらサイトダイバーシティ制御回路５において、スーパーフレームを検出する毎にＮ値のカウントダウンを行い、Ｎ値が０、すなわちＮ＝０になるスーパーフレームに達したとき実行指示信号をフレーム同期回路３に供給し、この実行指示信号を受けたフレーム同期回路３では、実行指示信号にしたがいフレーム同期パターンＷ１が検出されるまで検出を行い、検出されたらフレーム同期パターンＷ１により再同期を行う。
【０００９】
【発明が解決しようとする課題】
しかしながら、提案されている上記したサイトダイバーシティ方法によるときは、スーパーフレーム内のどこかでサイトの切り換えが行われることになって、スーパーフレーム内のどこでサイトの切り換えが行われるかが不明であるという問題点がある。
【００１０】
また、サイトが切り替わる時点で主局と副局との間における互いのキャリア周波数のずれやクロック位相のずれなどが想定され、さらにフレーム周期のずれ、例えば切り換え前後において５ｍｓｅｃ程度のずれなどが想定され、このずれにより映像が乱れたり、音声が途絶えたりするという問題点が生ずる。
【００１１】
またこの方法によるときは、サイトの切り換えはスーパーフレーム内の何処かで切り替わり、この切り替わりの瞬間に、キャリア周波数、クロック位相、フレーム周期等がずれることにより、デジタル衛星放送受信機では一旦システムロックが外れ、再同期を行わなければならない。スーパーフレーム中の何処で切り替わるかは１スーパーフレーム内では不定のため、再同期は少なくとも次のスーパーフレームでシステムロックを行うことになり、これが最短の期間となる。
【００１２】
したがって、サイトが切り替わる瞬間のスーパーフレーム内のデータは再生をすることはできなくなり、デジタル衛星放送受信機において例えば映像データにエラーが発生し、映像が乱れ、音声が途絶えたりするという問題点が生ずる。
【００１３】
本発明は、サイトの切り換えの際、素早く再同期ができるサイトダイバーシティ方法を提供することを目的とする。
【００１４】
【課題を解決するための手段】
本発明にかかるサイトダイバーシティ方法は、デジタル衛星放送におけるサイトダイバーシティ方法であって、サイト切り換え実行指示信号を受けたとき実行指示信号を受けた時点にて定まるスーパーフレーム中において最終スロットがダミーデータであるフレームを検出し、検出されたフレームの最終スロットにてサイトの切り換えを行うと共に、検出したフレームの情報をＴＭＣＣ情報内に含めることを特徴とする。
【００１５】
本発明にかかるサイトダイバーシティ方法によれば、サイト切り換え実行指示信号を受けたとき実行指示信号を受けた時点にて定まるスーパーフレーム中において最終スロットがダミーデータであるフレームが検出され、検出されたフレームの最終スロットにてサイトの切り換えが行われる。
【００１６】
この結果、サイトの切り換えが行われるスーパーフレーム中のフレームが特定され、かつ該フレーム中の最終スロットにおいてサイトが切り換えられるために、引き続きフレーム同期パターンＷ１が存在することになって、引き続くフレーム同期パターンＷ１に基づいて同期が取られる。
【００１７】
したがって、デジタル衛星放送受信機では、ＴＭＣＣ情報からサイトの切り換えが行われるスーパーフレームの情報と、サイトが切り換えられるフレーム情報とが得られ、得られたフレームの最終スロットの次にフレーム同期パターンＷ１が存在するので再同期をすることができる。このため、サイトの切り換えが行われるフレームの最終スロットのみが正常に受信できないだけとなって、受信されないスロットはダミーデータであるために、画像の乱れや音声の途切れはない。
【００１８】
【発明の実施の形態】
以下、本発明にかかるサイトダイバーシティ方法を実施の形態によって説明する。
【００１９】
図１は、本発明にかかるサイトダイバーシティ方法が適用されるデジタル衛星放送における１スーパーフレームの構成を示す模式図である。
【００２０】
１スーパーフレームは図１（ａ）に示すように８フレームから構成され、各フレームは図１（ｂ）に例示するようにフレーム同期パターンＷ１、ＴＭＣＣ（伝送多重構成制御）情報、スーパーフレーム中の先頭フレームか否かを識別するためのフレーム識別用同期パターンＷ２またはＷ３、主信号、基準バースト信号、主信号、バースト信号、…、主信号、バースト信号から構成されている。
【００２１】
スーパーフレーム中の先頭フレームにはフレーム識別用同期パターンＷ２が、２〜８フレームにはフレーム識別用同期パターンＷ３が使用されている。なお、図１（ｂ）では第２番目のフレームを示している。
【００２２】
主信号は変調方式トレリスコード（ＴＣ）８ＰＳＫ、ＱＰＳＫまたはＢＰＳＫであり、フレーム同期パターンＷ１、フレーム識別用同期パターンＷ２、Ｗ３、ＴＭＣＣ情報および基準バースト信号はＢＰＳＫ変調信号であり、フレーム同期パターンＷ１、フレーム識別用同期パターンＷ２、Ｗ３は各３２シンボル（固定ビットの２０シンボルを含む）、ＴＭＣＣ情報は１２８シンボル、主信号は２０３シンボル、バーストは４シンボルである。また、１フレームは３９９３６シンボルで構成されている。
【００２３】
本発明の実施の一形態では、アップリンク放送局を切り換えたい場合、ＴＭＣＣ情報中の送受信制御情報中における図３に示す拡張領域のビット４にビットを立て、拡張領域のビット４にビットが立ったときから、すなわちサイト切り換え実行指示信号を受けたときからスーパーフレームを、例えばＮ＝１６の場合１６回計数したときのスーパーフレーム中においてサイトの切り換えが行われる。
【００２４】
このスーパーフレーム中におけるサイトの切り換えは、最終スロットである第４８スロット目のスロット、すなわち最終スロットが、ダミーデータであるフレームをサイトの切り換えが行われるスーパーフレーム中から検出し、最終スロットがダミーデータであると検出されたフレームの最終スロットにおいてサイトの切り換えを行うと共に、ＴＭＣＣ情報中の送受信制御情報中における図３（ａ）の（ｘｘｘ）で示す拡張領域のビット３からビット１の３ビットを利用してサイトの切り換えを行ったフレームを指示することによって、ＴＭＣＣ情報中にサイトの切り換えが行われたフレーム情報を含める。
【００２５】
この場合に、サイトの切り換えを行ったフレームの情報を、ＴＭＣＣ情報中の送受信制御情報中における図３に示す拡張領域のビット３からビット１に代わって、ＴＭＣＣ情報中の拡張情報中の拡張領域における３ビットを用いてＴＭＣＣ情報中に含めるようにしてもよい。
【００２６】
一方、階層化伝送における、伝送方式（符号化率）と有効スロット数／伝送スロット数とは図２（ａ）に示す如くである。ここで、伝送スロットは伝送するための最小スロット数であり、有効スロットは伝送スロットの内情報伝送可能なスロット数を示す。
【００２７】
図２（ａ）から明らかなように、例えば、スロット番号１からスロット番号４６までがＴＣ８ＰＳＫ変調信号の伝送に対するものであり、スロット番号４７がＱＰＳＫ（１／２）変調信号の伝送に対するものであるときは図２（ｂ）に示す如くであり、スロット番号１からスロット番号４４までがＴＣ８ＰＳＫ変調信号の伝送に対するものであり、スロット番号４５からスロット番号４８がＢＰＳＫ（１／２）変調信号の伝送に対するものであるときは図２（ｃ）に示す如くであり、スロット番号１からスロット番号４４までがＴＣ８ＰＳＫ変調信号の伝送に対するものであり、スロット番号４５からスロット番号４６およびスロット番号４７からスロット番号４８がＱＰＳＫ（１／２）変調信号の伝送に対するものであるときは図２（ｄ）に示す如くである。
【００２８】
スロット番号１からスロット番号４８までがＴＣ８ＰＳＫ変調信号の場合は最終スロットはスロット番号４８であり、図２（ｂ）、図２（ｃ）、図２（ｄ）において、それぞれ最後スロットは図２（ｂ）の場合はスロット番号４７であり、図２（ｃ）の場合はスロット番号４５であり、図２（ｄ）の場合はスロット番号４７である。スロット番号４８を含むフレームが検出され、この最終スロットがダミーデータの場合、該フレームの最終スロットでサイトの切り換えが行われる。図２（ｂ）の場合ロはスット番号４７を含むフレームが検出され、該フレームの最終スロットでサイトの切り換えが行われ、図２（ｃ）の場合はスロット番号４５を含むフレームが検出され、該フレームの最終スロットでサイトの切り換えが行われ、図２（ｄ）の場合はスロット番号４７を含むフレームが検出され、該フレームの最終スロットでサイトの切り換えが行われる。
【００２９】
このように、最終スロットであるダミースロットにおいてサイトの切り換えが行われるために、次に必ずフレーム同期パターンＷ１が存在することになる。この結果、サイトの切り換えが行われた最終スロットに続くフレーム同期パターンＷ１において再同期をすることができる。
【００３０】
このようにすることで、デジタル衛星放送受信機では、ＴＭＣＣ情報からサイトの切り換えが行われるスーパーフレームの情報と、ＴＭＣＣ情報中の送受信制御情報中の拡張領域におけるフレーム情報、または拡張情報中の拡張領域におけるフレーム情報からサイトが切り換えられるフレームの番号（０〜７）とが取得される。
【００３１】
このサイトの切り換えが行われるフレーム情報を受けてそのフレームの最終スロットの次に必ずフレーム同期パターンＷ１が存在するので再同期をすることができる。したがって、サイトの切り換えが行われるフレームの最終スロットのみが正常に受信できないだけとなって、画像の乱れや音声の途切れは最小限に抑えられる。
【００３２】
なお、ダミーデータは受信機側で正しく復号されなくても、放送内容の復号には影響を与えることはない。
【００３３】
【発明の効果】
以上説明したように本発明にかかるサイトダイバーシティ方法によれば、アップリング局の降雨減衰によるサイドダイバーシティ運用を行う場合に、最終スロットがダミーデータであるフレームを検出し、そのフレームの最終スロットでサイトの切り換えを行うようにしたため、デジタル衛星放送受信機において、受信復号データが切換を行うスロットのデータで正常に受信できなくても映像データにエラーが発生することはなく映像が乱れることもない。
【図面の簡単な説明】
【図１】本発明の実施の一形態にかかるサイトダイバーシティ方法の説明に供するスーパフレームおよびフレーム構成を示す説明図である。
【図２】デジタル衛星放送における伝送方式とスロットの割付を示す説明図である。
【図３】ＴＭＣＣ情報中の送受信制御信号の説明図である。
【図４】従来のデジタル衛星放送受信機における復調部の構成を示すブロック図である。
【符号の説明】
１  演算回路
２  ロールオフフィルタ
３  フレーム同期検出回路
４  ＴＭＣＣデコーダ
５  サイトダイバーシティ制御回路
６  キャリア再生用位相誤差テーブル
７  デジタルフィルタ
８  ＡＦＣ回路
９  数値制御発振器
【図１】
0003701162.tif 000002
【図２】
0003701162.tif 000003
【図３】
0003701162.tif 000004
【図４】
0003701162.tif 000005